(57)【要約】【課題】被支持物を安定的に使用できる支持装置を提供する。【解決手段】支持装置１は、脚装置に取り付けるベース体21を備える。ベース体21の傾斜部20には、第１回動体23の基端部および第２回動体24の基端部を回動可能に取り付ける。第１回動体23の先端部および第２回動体24の先端部には、支持体25を回動可能に取り付ける。ベース体21に対する両回動体23，24の上方回動により支持体25が９０度回動して縦用状態になる。ベース体21に対する両回動体23，24の下方回動により支持体25が９０度回動して横用状態になる。【選択図】図１
2014199427.tif 000002
【特許請求の範囲】
【請求項１】
脚装置に取り付けられるベース体と、
このベース体に基端部が回動可能に取り付けられた第１回動体と、
前記ベース体に基端部が回動可能に取り付けられた第２回動体と、
前記第１回動体の先端部および前記第２回動体の先端部に回動可能に取り付けられ、被支持物を支持する支持体とを備え、
前記ベース体に対する前記第１回動体および前記第２回動体の上方回動により、前記支持体が９０度回動して横用状態から縦用状態になり、
前記ベース体に対する前記第１回動体および前記第２回動体の下方回動により、前記支持体が９０度回動して縦用状態から横用状態になる
ことを特徴とする支持装置。
【請求項２】
支持体は、
第１回動体の先端部および第２回動体の先端部に回動可能に取り付けられ、円弧面状の支持面を有する取付部と、
この取付部の支持面にてこの支持面に沿って摺動可能に支持され、被支持物を支持する支持部と、
この支持部を前記取付部に対して固定および固定解除するための操作部とを有する
ことを特徴とする請求項１記載の支持装置。
【請求項３】
ベース体は、水平方向に対して所定角度傾斜した傾斜部を有し、
第１回動体の基端部が、前記傾斜部の第１箇所に回動可能に取り付けられ、
第２回動体の基端部が、前記傾斜部のうち前記第１箇所よりも上方に位置する第２箇所に回動可能に取り付けられている
ことを特徴とする請求項１または２記載の支持装置。
【請求項４】
支持体を第２回動体の先端部に対して固定および固定解除するための操作体を備える
ことを特徴とする請求項１ないし３のいずれか一記載の支持装置。
【請求項５】
支持体を第２回動体の先端部に対して固定および固定解除するための操作体を備え、
前記操作体の摘み部が、支持体の操作部の摘み部と同じ側に配設されている
ことを特徴とする請求項２記載の支持装置。
【請求項６】
縦用状態の支持体の姿勢を調整するための調整手段を備える
ことを特徴とする請求項１ないし５のいずれか一記載の支持装置。
【請求項７】
調整手段は、第２回動体のねじ孔部に螺合された調整ねじである
ことを特徴とする請求項６記載の支持装置。
【発明の詳細な説明】
【技術分野】
【０００１】
本発明は、被支持物を安定的に支持できる支持装置に関するものである。
【背景技術】
【０００２】
従来、例えば特許文献１に記載された雲台等の支持装置が知られている。この従来の支持装置は、脚装置に取り付けられるベース体と、このベース体に左右方向に回動可能に設けられたパン回動体と、このパン回動体に上下方向に回動可能に設けられたティルト回動体と、このティルト回動体に回動可能に設けられ回動により縦用状態および横用状態になる支持体とを備えている。
【０００３】
そして、支持体の横用状態時（横位置撮影時）にはこの支持体にて支持されたカメラ等の被支持物を横姿勢（横位置）で使用し、また、支持体の縦用状態時（縦位置撮影時）にはこの支持体にて支持されたカメラ等の被支持物を縦姿勢（縦位置）で使用する。
【先行技術文献】
【特許文献】
【０００４】
【特許文献１】特開２０１０−２６６６１２号公報
【発明の概要】
【発明が解決しようとする課題】
【０００５】
しかしながら、上記従来の支持装置では、例えばカメラ等の被支持物を縦姿勢で使用する際に、被支持物の重心が脚装置の中心から大きくずれ、被支持物の使用が不安定となるおそれがある。
【０００６】
本発明は、このような点に鑑みなされたもので、被支持物を安定的に使用できる支持装置を提供することを目的とする。
【課題を解決するための手段】
【０００７】
請求項１記載の支持装置は、脚装置に取り付けられるベース体と、このベース体に基端部が回動可能に取り付けられた第１回動体と、前記ベース体に基端部が回動可能に取り付けられた第２回動体と、前記第１回動体の先端部および前記第２回動体の先端部に回動可能に取り付けられ、被支持物を支持する支持体とを備え、前記ベース体に対する前記第１回動体および前記第２回動体の上方回動により、前記支持体が９０度回動して横用状態から縦用状態になり、前記ベース体に対する前記第１回動体および前記第２回動体の下方回動により、前記支持体が９０度回動して縦用状態から横用状態になるものである。
【０００８】
請求項２記載の支持装置は、請求項１記載の支持装置において、支持体は、第１回動体の先端部および第２回動体の先端部に回動可能に取り付けられ、円弧面状の支持面を有する取付部と、この取付部の支持面にてこの支持面に沿って摺動可能に支持され、被支持物を支持する支持部と、この支持部を前記取付部に対して固定および固定解除するための操作部とを有するものである。
【０００９】
請求項３記載の支持装置は、請求項１または２記載の支持装置において、ベース体は、水平方向に対して所定角度傾斜した傾斜部を有し、第１回動体の基端部が、前記傾斜部の第１箇所に回動可能に取り付けられ、第２回動体の基端部が、前記傾斜部のうち前記第１箇所よりも上方に位置する第２箇所に回動可能に取り付けられているものである。
【００１０】
請求項４記載の支持装置は、請求項１ないし３のいずれか一記載の支持装置において、支持体を第２回動体の先端部に対して固定および固定解除するための操作体を備えるものである。
【００１１】
請求項５記載の支持装置は、請求項２記載の支持装置において、支持体を第２回動体の先端部に対して固定および固定解除するための操作体を備え、前記操作体の摘み部が、支持体の操作部の摘み部と同じ側に配設されているものである。
【００１２】
請求項６記載の支持装置は、請求項１ないし５のいずれか一記載の支持装置において、縦用状態の支持体の姿勢を調整するための調整手段を備えるものである。
【００１３】
請求項７記載の支持装置は、請求項６記載の支持装置において、調整手段は、第２回動体のねじ孔部に螺合された調整ねじであるものである。
【発明の効果】
【００１４】
本発明によれば、ベース体に対する第１回動体および第２回動体の上方回動により支持体が９０度回動して横用状態から縦用状態になり、ベース体に対する第１回動体および第２回動体の下方回動により支持体が９０度回動して縦用状態から横用状態になるため、いずれの場合においても被支持物を安定的に使用できる。
【図面の簡単な説明】
【００１５】
【図１】本発明の一実施の形態に係る支持装置の斜視図である。
【図２】同上支持装置の斜視図である。
【図３】同上支持装置の平面図である。
【図４】同上支持装置の後面図である。
【図５】（ａ）は図４のＡ−Ａ断面図、（ｂ）は図４のＢ−Ｂ断面図、（ｃ）は図４のＣ−Ｃ断面図である。
【図６】（ａ）は支持部を右下がり傾斜状態にした図、（ｂ）は支持部を左下がり傾斜状態にした図である。
【図７】同上支持装置の要部説明図である。
【図８】同上支持装置の使用状態（横位置撮影）を示す斜視図である。
【図９】同上支持装置の使用状態（縦位置撮影）を示す斜視図である。
【図１０】本発明の他の実施の形態に係る支持装置の斜視図である。
【図１１】同上支持装置の斜視図である。
【図１２】同上支持装置の調整ねじによる調整前の状態を示す断面図である。
【図１３】同上支持装置の調整ねじによる調整後の状態を示す断面図である。
【図１４】（ａ）および（ｂ）は同上支持装置にカメラを装着した状態を示す正面図である。
【発明を実施するための形態】
【００１６】
本発明の一実施の形態について図面を参照して説明する。
【００１７】
図中の１は、支持装置で、この支持装置１は、被支持物であるカメラ２を支持するもので、例えばカメラ用の脚装置３の上端部に脱着可能に取り付けられて使用される。
【００１８】
カメラ２は、図８および図９に示されるように、左右方向に長手方向を有する直方体状のカメラ本体部６を備え、このカメラ本体部６の前面から円柱状のレンズ部７が前方に向かって突出している。また、カメラ本体部６の後面には、矩形状の表示部である液晶表示部８が設けられている。カメラ本体部６の上面の右側には、使用者である操作者が手で操作する円形状の操作部９が設けられている。カメラ本体部６の下面の中央部には、取付部であるねじ孔部（図示せず）が設けられている。
【００１９】
脚装置３は、図８および図９に示されるように、例えば雲台を有さず、三脚11のみで構成されている。三脚11は、基体13と、この基体13の脚連結部14に上端部が回動可能に連結された伸縮可能な長手状の３本の脚体15と、基体13の中央孔部（図示せず）に昇降可能に挿通された長手状の１本の昇降体16とを備えている。
【００２０】
そして、昇降体16は、円板状の支持部17を上端部に有し、この支持部17に支持装置１が脱着可能に直接取り付けられている。こうして、カメラ２を支持した支持装置１が、脚装置３の昇降体16の上端部の支持部17にて支持されている。
【００２１】
支持装置１は、図１ないし図７に示されるように、脚装置３の昇降体16の上端部の支持部17に脱着可能に取り付けられるベース体21を備え、このベース体21は、水平方向に対して所定角度、すなわち例えば４５度傾斜した右上がり傾斜状で板状の傾斜部20を右側に有している。
【００２２】
ベース体21の傾斜部20の第１箇所である傾斜方向中央部分には、板状の第１回動体23の基端部が前後方向の軸部材31を介して回動可能に取り付けられている。そして、第１回動体23は、ベース体21の傾斜部20に対して軸部材31を中心として上下方向に回動可能となっている。
【００２３】
ベース体21の傾斜部20のうち、第１箇所よりも上方に位置する第２箇所である上端部分には、板状の第２回動体24の基端部が軸部材31と平行な前後方向の軸部材32を介して回動可能に取り付けられている。そして、第２回動体24は、ベース体21の傾斜部20に対して軸部材32を中心として上下方向に回動可能となっている。
【００２４】
また、第１回動体23の先端部および第２回動体24の先端部には、カメラ２を脱着可能に支持する支持体25が回動可能に取り付けられている。つまり、第１回動体23の先端部および第２回動体24の先端部にわたって板状の支持体25が設けられている。そして、支持体25は、第１回動体取付部分26と、この第１回動体取付部分26よりも右方に位置する第２回動体取付部分27とを下部に有している。
【００２５】
第１回動体取付部分26には第１回動体23の先端部が前後方向の軸部材33を介して回動可能に取り付けられ、かつ、第２回動体取付部分27には第２回動体24の先端部が前後方向の軸部材34を介して回動可能に取り付けられている。
【００２６】
そして、ベース体21に対する第１回動体23および第２回動体24の同時上方回動により、これら両回動体23，24に連動するように支持体25がベース体21の上方領域で右斜め上方へ移動しながら９０度（略９０度を含む）回動して水平姿勢の横用状態から鉛直姿勢の縦用状態になり、この縦用状態の支持体25で支持されたカメラ２を縦姿勢（縦位置）で使用することが可能となる。つまり、カメラ２による縦位置撮影が可能となる。
【００２７】
また、ベース体21に対する第１回動体23および第２回動体24の同時下方回動により、これら両回動体23，24に連動するように支持体25がベース体21の上方領域で左斜め下方へ移動しながら９０度（略９０度を含む）回動して鉛直姿勢の縦用状態から水平姿勢の横用状態になり、この横用状態の支持体25で支持されたカメラ２を横姿勢（横位置）で使用することが可能となる。つまり、カメラ２による横位置撮影が可能となる。
【００２８】
このように、操作者（使用者）は、支持体25にて支持されたカメラ２を握って所望方向に力を加えるというワンアクション操作により、ベース体21に対してカメラ２を支持体25とともに９０度回動させることが可能である。すなわち、カメラ２を支持した支持体25は、そのカメラ２のレンズ部７を中心（略中心を含む）として、ベース体21の上方領域でそのベース体21に対して横用状態および縦用状態間で９０度回動可能となっている。
【００２９】
なお、第１回動体23の長さ（基端部の軸部材31と先端部の軸部材33との間の距離）は、第２回動体24の長さ（基端部の軸部材32と先端部の軸部材34との間の距離）と同じである（図７参照）。なお、軸部材34は円筒状の部材（中空の軸部材）であるが、それ以外の軸部材31，32，33は丸軸状の部材（中実の軸部材）である。
【００３０】
ここで、ベース体21は、例えば別途雲台を必要としないように、通常の雲台機能を有したものである。ベース体21は、三脚11のみからなる脚装置３の昇降体16の上端部の支持部17に脱着可能に取り付けられる円形状のベース部材41を有している。
【００３１】
ベース部材41は、下方に向かって開口するねじ孔部42を有し、このねじ孔部42に脚装置３の昇降体16の支持部17のねじ軸部（図示せず）が螺合されることにより、このベース部材41が昇降体16の支持部17に脱着可能に取り付けられる。つまり、支持装置１が三脚11の上端部に直接取り付けられて使用される。
【００３２】
また、ベース部材41にはパン回動部材43が上下方向の軸線を中心として左右方向（水平方向）に回動可能に取り付けられ、このパン回動部材43にはティルト回動部材44が左右方向の軸線を中心として上下方向に回動可能に取り付けられている。
【００３３】
パン回動部材43には、このパン回動部材43をベース部材41に対して固定および固定解除するための略板状の操作部材である操作摘み45が回動可能に取り付けられている。操作摘み45の一方向への回動によりパン回動部材43がベース部材41に対して固定され、操作摘み45の他方向への回動によりパン回動部材43のベース部材41に対する固定が解除される。
【００３４】
ティルト回動部材44には、このティルト回動部材44をパン回動部材43に対して固定および固定解除するための棒状の操作部材である操作レバー46が回動可能に取り付けられている。操作レバー46の一方向への回動によりティルト回動部材44がパン回動部材43に対して固定され、操作レバー46の他方向への回動によりティルト回動部材44のパン回動部材43に対する固定が解除される。
【００３５】
ティルト回動部材44は、パン回動部材43の外周側に回動可能に嵌合された水平状で略円筒状をなす筒状部50を有している。そして、筒状部50の右端部に断面コ字状の傾斜部20が水平方向に対して所定角度、例えば４５度の傾斜角度をもって右上がり傾斜状となるように一体に突設され、この傾斜部20に両回動体23，24の基端部がそれぞれ回動可能に取り付けられている。両回動体23，24は互いに上下に近接状に対向しており、これら両回動体23，24間には所定の大きさの空間部48が存在している。
【００３６】
ティルト回動部材44の傾斜部20は、前後に互いに離間対向する対向板20aと、これら両対向板20aの下端部同士を連結する連結板20bとを有している。そして、両対向板20a間に両回動体23，24の基端部が回動可能に配設され、両回動体23，24はいずれも、両対向板20a間に架設された軸部材31，32を中心として回動可能となっている。
【００３７】
なお、図４から明らかなように、後面視で、筒状部50の上端を通る水平方向の線ａと傾斜部20の下端を通る傾斜方向の線ｂとがなす角度αが、４５度（略４５度を含む）である。また、支持体25の横用状態時には、後面視で、第１回動体23の先端側の軸部材33と、第２回動体24の先端側の軸部材34と、第２回動体24の基端側の軸部材32とが、同一高さ位置（略同一高さ位置を含む）で左右方向に並んで位置する。つまり、支持体25の横用状態時において、３つの軸部材32，33，34が同じ水平面上に位置する。
【００３８】
支持体25は、第１回動体23の先端部および第２回動体24の先端部に回動可能に取り付けられ円弧面状の支持面51を上面に有する取付部52と、この取付部52の支持面51にてこの支持面51に沿って左右方向に円弧状に摺動可能に支持されカメラ２を支持する板状の支持部53と、この支持部53を取付部52に対して固定および固定解除するための回動可能な操作部54とを有している。
【００３９】
取付部52は、下方に向かって凸の円弧面状の支持面51が上面に形成された矩形板状の板状部分56を有し、この板状部分56の下面には左右に隣接して並ぶ円筒状の第１回動体取付部分26および円筒状の第２回動体取付部分27が下方に向かって突設されている。
【００４０】
板状部分56の前後方向両端部には左右方向長手状の突出部分57が上方に向かって突設され、この各突出部分57には支持部53を円弧方向に沿って案内する案内面58が形成されている。
【００４１】
前後１対の突出部分（挟持部分）57のうちのいずれか一方、例えば前側（操作部54側）の突出部分（一方側挟持部分）57は、操作部54の回動に基づいて、いずれか他方、例えば後側（操作部54側とは反対側）の突出部分（他方側挟持部分）57に対して接近移動および離反移動する。
【００４２】
つまり、摘み操作部材である操作部54のねじ軸部59が取付部52のねじ孔部60に螺合されており、この操作部54の一方向への回動により前側の突出部分57が後側の突出部分57に対して接近移動して支持部53が取付部52に対して挟持固定される。また、操作部54の他方向への回動により前側の突出部分57が後側の突出部分57に対して離反移動して支持部53の取付部52に対する挟持固定が解除される。
【００４３】
操作部54は、図５（ａ）等から明らかなように、操作者が指で摘む摘み部55と、この摘み部55に固着された前後方向のねじ軸部59とを有している。摘み部55は、支持装置１の前側に配設されている。また、取付部52は、本体部材52aと、操作部54の回動に基づいて本体部材52aに対して微小量だけ移動する移動部材52bとにて構成されている。そして、操作部54側の突出部分57が移動部材52bに形成され、操作部54側とは反対側の突出部分57が本体部材52aに形成されている。
【００４４】
なお、板状部分56の左右方向両端部には、支持部53との当接により取付部52の支持面51に対する支持部53の摺動を規制する当接段部（図示せず）が形成されている。このため、支持部53の取付部52の支持面51に対する摺動範囲である回動範囲が所定範囲内となっている（図６参照）。
【００４５】
支持部53は、例えばクイックシュー式のもので、取付部52の支持面51にてこの支持面51に沿って左右方向に円弧状に摺動可能に支持された板状の支持本体部材71と、この支持本体部材71に対して脱着可能であり、カメラ２の下面に解除可能に固定される板状の脱着部材72とに構成されている。
【００４６】
脱着部材72は、カメラ２のカメラ本体部６の下面を支持する矩形板状の支持板部73と、この支持板部73の下面に設けられた嵌合部74とを有している。嵌合部74は、例えば平面視で長方形状をなす逆４角錐台状に形成されている。支持板部73の上面中央部には、カメラ２の下面中央部のねじ孔部（図示せず）と螺合可能なねじ軸部75が立設され、このねじ軸部75が支持板部73の上面から上方へ突出している。
【００４７】
そして、カメラ２の下面のねじ孔部に脱着部材72のねじ軸部75が螺合されることにより、脱着部材72の支持板部73がカメラ２の下面に脱着可能に取り付けられる。つまり、ねじ孔部とねじ軸部75との螺合により、脱着部材72の上面がカメラ２のカメラ本体部６の下面に固定的に取り付けられる。
【００４８】
なお、支持装置１を使用するに当たり、この脱着部材72をカメラ２の下面に予め固定的に取り付けておく。この場合、脱着部材72の矩形状の支持板部73の長手方向とカメラ２のカメラ本体部６の矩形状の下面の長手方向とを一致させた状態で、脱着部材72をカメラ本体部６の下面に取り付ける。こうすることで、カメラ２を脱着部材72を介して支持本体部材71にワンアクション操作で取り付けることが可能である。
【００４９】
支持本体部材71は、平面視で略５角形状の本体板部76を有している。本体板部76の上面の周端部には、脱着部材72の下側の嵌合部74と嵌脱可能に嵌合する平面視コ字状の嵌合受部77が上方に向かって突設されている。本体板部76の左端部には、脱着部材72の嵌合部74を嵌合受部77に対して固定および固定解除するための操作レバー部78が回動可能に設けられている。操作レバー部78は、嵌合受部77と嵌合した嵌合部74の一部と当接してこの嵌合部74の嵌合受部77からの抜けを防止する傾斜状の抜止め用の当接面79を有している。
【００５０】
また、本体板部76には、第１水準器81、第２水準器82および第３水準器83が設けられている。第１水準器81は、本体板部76の後面側に位置して左右方向に軸方向を有する円筒状の気泡管81aを有し、この気泡管81a内にアルコール等の液体と１つの気泡が封入されている。第２水準器82は、本体板部76の右側面側に位置して前後方向に軸方向を有する円筒状の気泡管82aを有し、この気泡管82a内にアルコール等の液体と１つの気泡が封入されている。第３水準器83は、本体板部76の後面と右側面とが交わる角部に位置して上下方向に軸方向を有する円筒状の気泡管83aを有し、この気泡管83a内にアルコール等の液体と１つの気泡が封入されている。
【００５１】
さらに、本体板部76の下面には、下方に向かって凸の円弧面状の摺動面85が形成され、この摺動面85が取付部52の支持面51にて摺動回動可能に支持されている。
【００５２】
また一方、支持装置１は、支持体25の取付部52の第２回動体取付部分27を軸部材34を介して第２回動体24の先端部に対して固定および固定解除するための操作体86とを備えている。操作体86は、軸部材34と同軸上に位置する前後方向長手状の軸状部87と、この軸状部87の後端部に固着され、操作者が指で摘む菱形状の摘み部（操作部）88とを有している。
【００５３】
軸状部87の先端側である前端側の外周面にはねじ溝89が形成され、このねじ溝89には、操作体86の回転（回動を含む意味）に応じてこの操作体86に対してその軸方向に移動可能な筒状の押圧部材90が螺着されている。
【００５４】
図５（ｃ）に示されるように、第２回動体24の先端側の軸部材34は円筒状に形成され、この軸部材34の軸方向中央部が支持体25の取付部52の第２回動体取付部分27の内周側に挿入固定され、この軸部材34の軸方向両端部が第２回動体24の先端部の筒状部分24aの内周側に回動可能に挿入嵌合されている。なお、軸部材34の軸方向両端部には、軸方向に沿った長手状のすり割91が周方向に間隔をおいて形成されている。
【００５５】
そして、操作者が摘み部88を摘んで操作体86を第２回動体24に対して一方向に回転（回動）させると、軸部材34の一部が押圧部材90にて押圧されて径方向外方へ弾性変形し、この弾性変形した変形部分が第２回動体24の筒状部分24aの内周面に圧着固定される。つまり、操作体86の第２回動体24に対する一方向への回転により、軸部材34が第２回動体24に圧着固定されることで、支持体25の取付部52が第２回動体24の先端部に対して固定される。
【００５６】
また、操作者が摘み部88を摘んで操作体86を第２回動体24に対して他方向に回転（回動）させると、第２回動体24の筒状部分24aの内周面に対する軸部材34の圧着固定が解除される。つまり、操作体86の第２回動体24に対する他方向への回転により、支持体25の第２回動体24に対する固定が解除される。
【００５７】
この固定解除状態で、操作者は、両回動体23，24をベース体21に対して所定回動角度（図７上、角度θ）だけ同時に上下回動させることが可能であり、これら両回動体23，24を鉛直状の起立状態と水平状の倒伏状態とに選択的に切り換え可能となっている。そして、この両回動体23，24の上下回動に連動して、支持体25が水平姿勢の横用状態と鉛直姿勢の縦用状態とに選択的に切り換わるようになっている。
【００５８】
なお、操作体86の摘み部88は、支持装置１の後側に配設されている。つまり、操作体86の摘み部88は、支持体25の操作部54の摘み部55とは反対側に配設されている。換言すると、操作体86の摘み部88が支持装置１の前後いずれか一方側（操作者側）に配設され、かつ、支持体25の操作部54の摘み部55が支持装置１の前後いずれか他方側に配設されている。
【００５９】
次に、支持装置１の作用等を説明する。
【００６０】
支持装置１を使用する場合、予め、支持体25の脱着部材72をカメラ２のカメラ本体部６の下面にそれぞれの長手方向を一致させた状態にして取り付けておく。
【００６１】
そして、支持装置１および脚装置３を用いて、カメラ２で被写体を撮影する際には、支持装置１のベース体21を脚装置３の上端側に取り付けた後、カメラ２の下面側の脱着部材72を支持本体部材71に取り付け、カメラ２を支持装置１に支持させる。
【００６２】
ここで、図８に示すように、カメラ２をカメラ本体部６の長手方向が水平方向となる横姿勢（横位置姿勢）で使用して被写体を横位置撮影する場合には、両回動体23，24を倒伏状態に固定し、かつ支持体25を水平状（水平姿勢）の横用状態に固定する。
【００６３】
すなわち例えば、操作者は、両回動体23，24のベース体21に対する同時下方回動により、支持体25をカメラ２とともに９０度回動させて横用状態にした後、操作体86を回転操作して支持体25をその横用状態に固定する。
【００６４】
この際、両回動体23，24の下方回動は、第２回動体24の先端部が第１回動体23に当接することにより規制される。
【００６５】
また、支持体25が水平状の横用状態に固定された場合において、支持体25上のカメラ２が所望の水平な横姿勢になっていないときには、支持部53を取付部52の円弧面状の支持面51に沿って円弧状に摺動させてカメラ２の横姿勢を水平に調整する。
【００６６】
そして、横姿勢のカメラ２はベース体21の上方に位置し、平面視でカメラ２の重心が脚装置３の中心（重心）の付近（一致してもよい）に位置しているため、横姿勢のカメラ２を安定して使用できる。
【００６７】
また、図９に示すように、カメラ２をカメラ本体部６の長手方向が上下方向となる縦姿勢（縦位置姿勢）で使用して被写体を縦位置撮影する場合には、両回動体23，24を起立状態に固定し、かつ支持体25を鉛直状（鉛直姿勢）の縦用状態に固定する。
【００６８】
すなわち例えば、操作者は、両回動体23，24のベース体21に対する同時上方回動により、支持体25をカメラ２とともに９０度回動させて縦用状態にした後、操作体86を回転操作して支持体25をその縦用状態に固定する。
【００６９】
この際、両回動体23，24の上方回動は、第１回動体23の先端部が第２回動体24に当接することにより規制される。なお、支持体25上のカメラ２の横姿勢を水平に調整した後であれば、支持体25の９０度回動によりカメラ２は所望の鉛直な縦姿勢となる。
【００７０】
そして、縦姿勢のカメラ２はベース体21の上方に位置し、平面視でカメラ２の重心が脚装置３の中心（重心）の付近（一致してもよい）に位置しているため、縦姿勢のカメラ２を安定して使用できる。
【００７１】
このように、上記支持装置１によれば、ベース体21に対する第１回動体23および第２回動体24の上方回動により支持体25がベース体21に対して９０度回動して横用状態から縦用状態になり、ベース体21に対する第１回動体23および第２回動体24の下方回動により支持体25がベース体21に対して９０度回動して縦用状態から横用状態になるため、いずれの場合においても、支持体25にて支持されたカメラ２の少なくとも一部がベース体21の上方に位置するため、カメラ２が脚装置３に対してオフセットせず、カメラ２の重心が脚装置３の中心（重心）から大きくずれるようなことがなく、カメラ２を脚装置３とともに安定的に使用でき、しかも、ワンアクション操作で支持体25の状態を切り換えることができ、操作性が良好である。
【００７２】
また、例えば横位置撮影から縦位置撮影に変更する場合や、逆に縦位置撮影から横位置撮影に変更する場合に、フレーミングをやり直す必要がなく、略同一の位置で横と縦の撮影ができる。すなわち、狙った被写体をフレーム内からズラすことなく縦横に納めることができる。
【００７３】
さらに、支持体25の支持部53を取付部52の円弧面状の支持面51に沿って摺動させることにより、カメラ２の姿勢（横用状態の支持体25の水平姿勢）を微調整できる。
【００７４】
また、操作体86の回転操作によって支持体25を第２回動体24に対して適切に固定および固定解除でき、操作性がより一層良好である。
【００７５】
次に、本発明の他の実施の形態について図１０ないし図１４を参照して説明する。
【００７６】
この他の実施の形態に係る支持装置１においては、操作性向上のために、操作体86の摘み部88が、支持体25の操作部54の円筒状の摘み部55と同じ側に配設されている。すなわち例えば、両摘み部55，88が互いに近接した状態で支持装置１の後側（操作者側）に配設されている。なお、例えば図示しないが、両摘み部55，88が互いに近接した状態で支持装置１の前側に配設された構成とすることも可能である。
【００７７】
また、この支持装置１では、製造誤差等を修正するために、縦用状態の支持体25の鉛直姿勢を調整（微調整）するための調整手段である調整ねじ96が第２回動体24に設けられている。
【００７８】
調整ねじ96は、例えばマイナスドライバー等の工具（図示せず）で回転操作可能なもので、第２回動体24のねじ孔部97に螺合挿入され、支持体25の裏側に対して進退可能となっている。ねじ孔部97は、第２回動体24の先端側の部分に上下面に貫通して形成されている。
【００７９】
調整ねじ96の基端面には、工具と係合可能な溝部98が形成されている。調整ねじ96の先端面には、調整後に縦用状態の支持体（カメラ支持台）25の裏側の当接受け面99に当接する平面状の当接面100が形成されている。
【００８０】
すなわち、図１２に示すように、例えば製造誤差等による寸法のばらつきが原因で、支持体25の縦用状態時に、その縦用状態の支持体25が所望の鉛直姿勢にならない場合（つまり鉛直方向に対して若干傾いた状態になる場合）がある。
【００８１】
このような場合には、図１３に示すように、調整ねじ96を工具で回転操作して、その調整ねじ96を通常位置（当接面100が当接受け面99と当接しない位置）から、傾きに応じた所定の当接位置（当接面100が当接受け面99と当接する位置）まで支持体25側へ動かす。
【００８２】
すると、支持体25の縦用状態時において、調整ねじ96の当接面100が支持体25の取付部52の裏側の当接受け面99に当接して両回動体23，24の上方回動が規制され、その結果、縦用状態の支持体25が所望の鉛直姿勢になる。なお、この支持装置１のその他の構成は、前記一実施の形態と基本的に同じである。
【００８３】
そして、この支持装置１であっても、カメラ２を脚装置３とともに安定的に使用でき、しかもワンアクション操作で支持体25の状態を横用状態や縦用状態に切り換えることができ、操作性が良好である等、前記一実施の形態と同様の作用効果を奏することができる。
【００８４】
さらに、この支持装置１によれば、操作体86の摘み部88が支持体25の操作部54の摘み部55と同じ側に配設された構成であるから、操作性がより一層良好である。
【００８５】
また、縦用状態の支持体25の姿勢を調整するための調整ねじ96を備えた構成であるから、調整ねじ96による調整によって製造誤差等を修正でき、縦用状態の支持体25を所望の鉛直姿勢にできる。
【００８６】
なお、いずれの実施の形態においても、例えば脚装置３を使用することなくカメラ２で接写撮影が可能となるように、ベース体21を板状とし、このベース体21が被載置部上に載置可能な載置面を有するようにしてもよい。
【００８７】
この場合、支持体25の脱着部材72は、第１状態およびこの第１状態から９０度回動させた第２状態のいずれの状態であっても、支持本体部材71に対して脱着可能となっている。なお、ベース体21を板状にすると、ベース体21が雲台機能を有しなくなることから、脚装置３を使用する際には雲台付き三脚を用いる。
【００８８】
また、支持体25にて支持される被支持物は、カメラには限定されず、例えばビデオカメラ、測定器、或いは望遠鏡等でもよい。
【００８９】
さらに、脚装置３の三脚11の脚の本数は任意であり、例えば１本でもよい。
【００９０】
また、両回動体23，24の形状は、板状には限定されず、例えばアーム状等でもよく、また、例えば湾曲板部分を有した構成には限定されず、平板状でもよい。
【符号の説明】
【００９１】
１    支持装置
２    被支持物であるカメラ
３    脚装置
20    傾斜部
21    ベース体
23    第１回動体
24    第２回動体
25    支持体
51    支持面
52    取付部
53    支持部
54    操作部
55    支持体の操作部の摘み部
86    操作体
88    操作体の摘み部
96    調整手段である調整ねじ
97    ねじ孔部
【図１】
2014199427.tif 000003
【図２】
2014199427.tif 000004
【図３】
2014199427.tif 000005
【図４】
2014199427.tif 000006
【図５】
2014199427.tif 000007
【図６】
2014199427.tif 000008
【図７】
2014199427.tif 000009
【図８】
2014199427.tif 000010
【図９】
2014199427.tif 000011
【図１０】
2014199427.tif 000012
【図１１】
2014199427.tif 000013
【図１２】
2014199427.tif 000014
【図１３】
2014199427.tif 000015
【図１４】
2014199427.tif 000016